(57)【要約】【課題】興趣性が高い表示玩具を提供する。【解決手段】第１絵柄１ｆを有する第１表示部１と、第２絵柄２ｆを有する光透過性の第２表示部２と、第１表示部１を位置固定に支持し、且つ第２表示部２を第２絵柄２ｆが第１絵柄１ｆと重ね合される第１位置と、第２絵柄２ｆが第１絵柄１ｆに対して第１位置とは異なる位置関係に配置される第２位置との間で移動可能に支持する支持部６と、を備え、第２表示部２が第１位置に配置されている状態で、重ね合された第１絵柄１ｆ及び第２絵柄２ｆによって第１図案１０ｆが構成され、第２表示部２が第２位置に配置されている状態で、第１絵柄１ｆ及び第２絵柄２ｆによって第１図案１０ｆとは異なる第２図案１２ｆが構成される表示玩具４。【選択図】図２
2018086121.tif 000002
【特許請求の範囲】
【請求項１】
第１絵柄を有する第１表示部と、
第２絵柄を有する光透過性の第２表示部と、
前記第１表示部を位置固定に支持し、且つ前記第２表示部を前記第２絵柄が前記第１絵柄と重ね合される第１位置と、前記第２絵柄が前記第１絵柄に対して前記第１位置とは異なる位置関係に配置される第２位置との間で移動可能に支持する支持部と、
を備え、
前記第２表示部が前記第１位置に配置されている状態で、重ね合された前記第１絵柄及び前記第２絵柄によって第１図案が構成され、
前記第２表示部が前記第２位置に配置されている状態で、前記第１絵柄及び前記第２絵柄によって前記第１図案とは異なる第２図案が構成される表示玩具。
【請求項２】
請求項１記載の表示玩具であって、
前記第１表示部と前記第２表示部とのいずれか一方は嵌合凸部を有し、
他方は前記嵌合凸部との嵌合凹部を有し、
前記嵌合凸部と前記嵌合凹部は、
前記第２表示部が前記第１位置に配置されている状態と、前記第２位置に配置されている状態のそれぞれの状態において、互いに嵌合する位置に形成されている表示玩具。
【請求項３】
請求項１乃至２記載の表示玩具であって、
前記第２表示部は、前記第１表示部を収容し、当該第２表示部が前記第１位置に配置されている際の前記第１絵柄と前記第２絵柄との重ね合わせ方向と直交する回転軸まわりに前記第１位置と前記第２位置との間で回動可能である表示玩具。
【請求項４】
請求項３記載の表示玩具であって、
前記第２表示部は、前記回転軸を中心軸とする円筒状の壁面、又は球状の壁面を有し、前記第２絵柄は、前記壁面に設けられており、
前記第１表示部は、前記第２表示部の前記壁面に沿う壁面を有し、前記第１絵柄は、前記壁面に設けられている表示玩具。
【請求項５】
請求項４記載の表示玩具であって、
前記第２表示部は、前記回転軸を中心軸とする円筒状の内壁面、又は球状の内壁面を有し、前記第２絵柄は、前記内壁面に設けられており、
前記第１表示部は、前記第２表示部の前記内壁面に沿う曲面状の外壁面を有し、前記第１絵柄は、前記外壁面に設けられている表示玩具。
【請求項６】
請求項１乃至５記載の表示玩具であって、
前記第２表示部より内側に第３絵柄を有する第３表示部を備え、  背後から照明されることによって前記第３絵柄が視認可能となる表示玩具。
【請求項７】
請求項６記載の表示玩具であって、
前記第３表示部の前記第３絵柄は前記第１表示部より内側に位置し、
前記第１表示部は光透過性であり、
前記第３絵柄は、前記第２表示部が前記第１位置に配置されている際の前記第１絵柄と前記第２絵柄との重ね合わせ方向に、前記第１絵柄と重なって配置されている表示玩具。
【発明の詳細な説明】
【技術分野】
【０００１】
本発明は、表示玩具に関する。
【背景技術】
【０００２】
特許文献１及び特許文献２に記載された玩具は、光透過性のカードに絵柄（図形及び文字を含む）が描かれており、異なった絵柄が描かれたカードの組が重ね合されることによって、複数のカードそれぞれの絵柄が合成されてなる図案が形成される。
【先行技術文献】
【特許文献】
【０００３】
【特許文献１】特開２０００−３７５７０号公報
【特許文献２】特開２００３−３３５８４号公報
【発明の概要】
【発明が解決しようとする課題】
【０００４】
特許文献１及び特許文献２に記載された玩具では、重ね合される複数のカードの位置合わせが必要であり、その操作が面倒であった。そして、カードの組が重ねあわされ複数のカードそれぞれの絵柄の合成されることによって形成される図案が一つであり、多様な表示をすることができなかった。
【０００５】
本発明は、上述した事情に鑑みなされたものであり、絵柄の位置合わせが容易で且つ多様な表示に変化する興趣性の高い表示玩具を提供することを目的とする。
【課題を解決するための手段】
【０００６】
本発明に係る表示玩具は、第１絵柄を有する第１表示部と、第２絵柄を有する光透過性の第２表示部と、前記第１表示部を位置固定に支持し、且つ前記第２表示部を前記第２絵柄が前記第１絵柄と重ね合される第１位置と、前記第２絵柄が前記第１絵柄に対して前記第１位置とは異なる位置関係に配置される第２位置との間で移動可能に支持する支持部と、を備え、前記第２表示部が前記第１位置に配置されている状態で、重ね合された前記第１絵柄及び前記第２絵柄によって第１図案が構成され、前記第２表示部が前記第２位置に配置されている状態で、前記第１絵柄及び前記第２絵柄によって前記第１図案とは異なる第２図案が構成されることを特徴とする。
【０００７】
また、本発明に係る表示玩具においては、前記第１表示部と前記第２表示部とのいずれか一方は嵌合凸部を有し、他方は前記嵌合凸部との嵌合凹部を有し、前記嵌合凸部と前記嵌合凹部は、前記第２表示部が前記第１位置に配置されている状態と、前記第２位置に配置されている状態のそれぞれの状態において、互いに嵌合する位置に形成されていてもよい。
【０００８】
また、本発明に係る表示玩具においては、前記第２表示部は、前記第１表示部を収容し、当該第２表示部が前記第１位置に配置されている際の前記第１絵柄と前記第２絵柄との重ね合わせ方向と直交する回転軸まわりに前記第１位置と前記第２位置との間で回動可能な構成であってもよい。
【０００９】
また、本発明に係る表示玩具においては、前記第２表示部は、前記回転軸を中心軸とする円筒状の壁面、又は球状の壁面を有し、前記第２絵柄は、前記壁面に設けられており、前記第１表示部は、前記第２表示部の前記壁面に沿う壁面を有し、前記第１絵柄は、前記壁面に設けられてもよい。
【００１０】
また、本発明に係る表示玩具においては、前記第２表示部は、前記回転軸を中心軸とする円筒状の内壁面、又は球状の内壁面を有し、前記第２絵柄は、前記内壁面に設けられており、前記第１表示部は、前記第２表示部の前記内壁面に沿う曲面状の外壁面を有し、前記第１絵柄は、前記外壁面に設けられていてもよい。
【００１１】
また、本発明に係る表示玩具においては、前記第２表示部より内側に第３絵柄を有する第３表示部を備え、背後から照明されることによって前記第３絵柄が視認可能となってもよい。
【００１２】
また、本発明に係る表示玩具においては、前記第３表示部の前記第３絵柄は前記第１表示部より内側に位置し、前記第１表示部は光透過性であり、前記第３絵柄は、前記第２表示部が前記第１位置に配置されている際の前記第１絵柄と前記第２絵柄との重ね合わせ方向に、前記第１絵柄と重なって配置されてもよい。
【発明の効果】
【００１３】
本発明によれば、多様な表示に変化する興趣性の高い表示玩具を提供することができる。
【図面の簡単な説明】
【００１４】
【図１】本発明の実施形態を説明するための、表示玩具の一例の斜視図である。
【図２】図１の表示玩具を上方から見た平面図である。
【図３】図２のＢ−Ｂ線に沿った断面図である。
【図４】図１の表示玩具において、絵柄を重ね合せた状態を示す側面図である。
【図５】図１の表示玩具において、絵柄を重ね合せる前の状態で、矢印Ｌ方向から見た側面図である。
【図６】図１の表示玩具において、絵柄を重ね合せる前の状態で、矢印Ｒ方向から見た側面図である。
【図７】図１の表示玩具において、他の絵柄を表示した状態を示す側面図である。
【発明を実施するための形態】
【００１５】
図１は、本発明の実施形態を説明するための、表示玩具の一例の全体を斜視図で示し、図２は、図１に示す表示玩具を上方から見た平面図であり、図３は図２のＢ−Ｂ線に沿った部分の断面図である。また、図４から図７は、本発明の実施形態を説明するための、表示玩具の絵柄の表示形態の一例を示す。
【００１６】
表示玩具４は、図１に示すように、その全体形状が地球儀のような構造であり、絵柄を表示する部分が球形状で回転可能に構成されている。すなわち、後述する第１表示部１及び第２表示部２が、台座形状の下端部分の支持基部６ｂと該支持基部６ｂの側面から湾曲して延出されたアーム部６ａの上端部分の支持頂部６ｔとを有する支持部６によって支持されている。
【００１７】
ここで、絵柄の表示部分である第１表示部１および第２表示部２について説明する。
絵柄の表示部分は、球形状の表面側が光透過性の第２表示部２となっており、この第２表示部２の内側に光透過性の第１表示部１が設けられている。そして、第１表示部１には、第１絵柄１ｆが描かれており、第２表示部２には、第２絵柄２ｆが描かれている。したがって、外観的には、第２表示部２を通して第１表示部１の第１絵柄１ｆを見ることができる。
【００１８】
また、内側の第１表示部１は、支持部６に回転不能に固定されている一方、外側の第２表示部２は、支持部６によって回転軸ＣＬを中心に回転自在（矢印Ａ）に支持されている。すなわち、第２表示部２は、第１表示部１を内部に収容しつつ第１絵柄１ｆと第２絵柄２ｆとの重ね合わせ方向と直交する回転軸ＣＬを介して該第１表示部１のまわりを回る構造となっている。
【００１９】
第２表示部２は、図２に示すように、その内側も球面状の内壁面２ｉｗとして構成されている。すなわち、第２表示部２は、所定の厚みを備えた中空の球形構造となっている。そして、第２絵柄２ｆは、この球面状の内壁面２ｉｗに描かれている。なお、本実施形態における第２絵柄２ｆは、内壁面２ｉｗに全域に描かれているのではなく、回転方向の略半分の半球面領域に描かれている。
【００２０】
第１表示部１は、図２に示すように、第２表示部２の内壁面２ｉｗに沿う曲面状の外壁面１ｗを有している。この外壁面１ｗは、本実施形態においては、球面部分と平坦面部分とを有する構造である。詳細には、上方から見て、アーム部６ａの部分近傍を境にした一端側（図２において右側）には、回転軸ＣＬに沿って平行な平坦壁面１ｆｗが形成されている一方、他端側（図２において左側）には、略半球状（半球よりも若干大きい球状）の球状外壁面１ｓｗが形成されている。そして、球状外壁面１ｓｗに第１絵柄１ｆが描かれており、平坦壁面１ｆｗには、後述する第３絵柄３ｆが回転軸ＣＬを挟んで第１絵柄１ｆと反対側に配置に描かれている。
【００２１】
このように構成されていることで、表示玩具４は、回動可能な第２絵柄２ｆを、固定された第１絵柄１ｆと重なる第１位置と、該第１絵柄１ｆと並列した第２位置（図２に示す状態）との間で移動させることで異なった図案を表すことができる。すなわち、表示玩具４は、固定された第１表示部１に対して、第２表示部２が図２に示す状態から１８０度回転移動させることで、第２絵柄２ｆが第１絵柄１ｆの外側に重ね合される位置（第１位置）で後述する第１図案１０ｆ（図４参照）を表現することができる一方、第１位置とは、異なる位置関係、例えば、図２に示すように、第２絵柄２ｆが第１絵柄１ｆに対して回転方向で１８０度反対側に配置される第２位置において、第２図案１２ｆを表現することができる。
【００２２】
ここで、第２表示部２の第１位置及び第２位置における固定は、例えば、支持部６の支持頂部６ｔと第２表示部２の外面との間に設けられる位置固定部７によって行うことができる。
【００２３】
図３に示すように、位置固定部７は、支持頂部６ｔの内側に設けられている凸部７ｄと、第２表示部２の表面に設けられている凹部７ｂとによって構成され、凸部７ｄは第２表示部２に向かって突出しており、凹部７ｂは凸部７ｄの嵌入を許容するように構成されている。これら凹部７ｂ及び凸部７ｄが回転軸ＣＬ周りに１８０度の位置に一対形成されている。したがって、第２表示部２を回転軸ＣＬ周りに回動（矢印Ａ方向）することで、２つの凹部７ｂが凸部７ｄに嵌まり込み位置固定を行うことができる。すなわち、凸部７ｄは、第２表示部２の表面に適宜圧力にて当接した状態となっており、第２表示部２の回動によって、凹部７ｂへの嵌入と離脱を行うことができる。したがって、第２表示部２は、位置固定部７によって、所望のクリック感覚を有して第１位置及び第２位置に確実に位置決めされる。
【００２４】
なお、位置固定部７における凹部７ｂは、円形状の凹みでなくてもよく、例えば、第２表示部２を形成する際の２つの半球部分の合せ面を、適宜溝が形成されるように接合し、この溝を凹部７ｂとして利用することもできる。
【００２５】
ここで、第１位置、すなわち、第１絵柄１ｆと第２絵柄２ｆとが重ね合される位置で表される第１図案１０ｆは、例えば、図４に示すように、牛の顔を半球面（図１におけるＬ方向から見た半球面）に表示することができる。
【００２６】
一方、第２位置、すなわち、牛の絵柄である第１図案１０ｆを、第１絵柄１ｆと第２絵柄２ｆとして適宜分解し、第１絵柄１ｆと第２絵柄２ｆを球面上において並列させることで表される第２図案１２ｆは、球面全体で表現される。このように球面全体で表現できる絵柄表現としては、例えば、ある仮想惑星の大陸を表すように惑星全体を表現することができる。具体的には、図５に示すように、仮想の惑星の大陸の西半球（図１において矢印Ｌ方向から見た絵柄）に第１絵柄１ｆが位置し、また、図６に示すように、東半球（図１において矢印Ｒ方向から見た絵柄）に第２絵柄２ｆが位置することで、球面全体としては仮想の大陸を有する惑星のような表現とすることができる。
【００２７】
また、第１位置の第１図案１０ｆが表示されたときには、反対側の半球面（図１のＲ方向から見た半球面）においては、第３絵柄３ｆが表示可能な状態になっているが、この第３絵柄３ｆの表示は行われない。すなわち、例えば、第２表示部２が所定の色に適宜着色されていることに加えて該第３絵柄３ｆが第２表示部２から回転軸寄りに離れていることで、第３絵柄３ｆは、第２表示部２を通して絵柄を見ることができないようになっている。
【００２８】
しかし、表示玩具４の背後（第１図案１０ｆが表示されている、矢印Ｌ方向）から任意の光源によって照らされることで、第３表示部３ｆは第２表示部２を通して絵柄が視認可能になる。このとき、第１表示部１及び第２表示部と、第１絵柄１０ｆ及び第２絵柄２ｆは光を透過および拡散する材質であることが望ましく、表示玩具４の背後からの任意の光源による発光が透過および拡散し、第３絵柄３ｆが照らされ視認可能になる。本実施形態においては、表示玩具４の支持部６に設けられた連結部８を介して、例えば、他の玩具２０の装着部に装着し、他の玩具２０の光源２１によって背後から照らされることで第３絵柄３ｆの影が見えるようになる。すなわち、玩具２０に設けられた光源２１によって、図２に示すように、背後から照らされることで、例えば、図７に示すように、第１図案１０ｆの牛の図案と関連した特定キャラクタの飛行パイロットが操縦席に着座した第３絵柄３ｆが視認可能となる。
【００２９】
以上述べたように、本実施形態においては、第１表示部１と第２表示部２とは、第１絵柄１ｆと第２絵柄２ｆとが並列し別々に表示される第２位置と、両絵柄が重畳して表示される第１位置との間を移動可能に連結されているので、多様な絵柄表現が可能であるだけでなく、第１絵柄１ｆと第２絵柄２ｆとの面倒な位置合わせを行うことなく容易に重畳絵柄及び分解された絵柄を表現することができる。
【００３０】
また、本実施形態においては、表示玩具４の全体形状が球形を有する球儀形状であることから、第２図案１２ｆでは、惑星全体を表現した大陸表現を行うことができ、第１図案１０ｆでは、牛の顔を表現して、例えば、おうし座のある惑星を想起させる表現を行うことができる。更に、照明効果を利用して、第１図案１０ｆの牛の図案と関連した飛行パイロットが操縦席に着座した第３絵柄３ｆを表現することができるなど、その表現形態の多様性を楽しむことができる。
【００３１】
本実施形態においては、第１絵柄１ｆと第２絵柄２ｆとは、第１表示部１の球状外壁面１ｓｗと第２表示部２の内壁面２ｉｗとに描かれているので、重畳絵柄を表現（第１位置）するときは略同一面にあるように接近させて重ね合わせることができ、重ね合わせにおける不自然さを無くした図案を楽しむことができる。
【００３２】
以上、本発明の一実施形態について説明したが、本発明は、上記実施形態に何ら制限されるものではなく、種々変更することができる。
【００３３】
上記実施形態においては、第１表示部１は、球状外壁面１ｓｗと平坦壁面１ｆｗとを有し、該平坦壁面１ｆｗに第３絵柄３ｆを描くように構成されたが、例えば、第１表示部１の全体形状を球形状とすると共に、その第１表示部１の内部に第３絵柄３ｆを描く部分を設けてもよい。また、第３絵柄３ｆを描く部分は、必ずしも平坦面でなく適宜湾曲した面であってもよい。
【００３４】
また、上記実施形態においては、その絵柄を表現する部分の形状が球形としたが、例えば、外側の第２表示部２が回転軸ＣＬを中心軸として回動する円筒状に構成され、その円筒構造の内側に第１表示部１並びに第３絵柄３ｆ等を配置するような構造であってもよい。
【００３５】
また、上記実施形態においては、外部の光源２１の照明効果を利用して表示玩具４の第３絵柄３ｆを表示するように構成したが、本発明においては、これに限るものではなく、第１表示部１の内側に光源を備えていてもよい。
【００３６】
上記実施形態においては、第２表示部２が回転軸ＣＬを中心に回動するように構成されたが、例えば、第２表示部２が引き戸のようにスライド移動される構造でもよい。この場合、第２絵柄２ｆは、第１絵柄の横に並べられて、スライド移動によって第１絵柄１ｆに重ね合される。また、例えば、第２表示部２が開き戸のように１８０度回動される構造であってもよい。この場合は、第２表示部２は、その絵柄が左右反転されて第１絵柄１ｆの横に並べられる構造となる。
【符号の説明】
【００３７】
１      第１表示部
１ｆ    第１絵柄
１ｗ    外壁面
１ｓｗ  球状外壁面
２      第２表示部
２ｆ    第２絵柄
２ｉｗ  内壁面
３ｆ    第３絵柄
４      表示玩具
６      支持部
６ｂ    支持基部
６ａ    アーム部
６ｔ    支持頂部
７      位置固定部
７ｂ    凹部
７ｄ    凸部
８      連結部
１０ｆ  第１図案
１２ｆ  第２図案
２１    光源
ＣＬ    回転軸
【図１】
2018086121.tif 000003
【図２】
2018086121.tif 000004
【図３】
2018086121.tif 000005
【図４】
2018086121.tif 000006
【図５】
2018086121.tif 000007
【図６】
2018086121.tif 000008
【図７】
2018086121.tif 000009
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
第１絵柄を有する第１表示部と、
第２絵柄を有する光透過性の第２表示部と、
前記第１表示部を位置固定に支持し、且つ前記第２表示部を前記第２絵柄が前記第１絵柄と重ね合される第１位置と、前記第２絵柄が前記第１絵柄に対して前記第１位置とは異なる位置関係に配置される第２位置との間で移動可能に支持する支持部と、を備え、
前記第２表示部が前記第１位置に配置されている状態で、重ね合された前記第１絵柄及び前記第２絵柄によって第１図案が構成され、
前記第２表示部が前記第２位置に配置されている状態で、前記第１絵柄及び前記第２絵柄によって前記第１図案とは異なる第２図案が構成され、
前記第２表示部は、前記第１表示部を収容し、当該第２表示部が前記第１位置に配置されている際の前記第１絵柄と前記第２絵柄との重ね合わせ方向と直交する回転軸まわりに前記第１位置と前記第２位置との間で回動可能である表示玩具。
【請求項２】
請求項１記載の表示玩具であって、
前記第１表示部と前記第２表示部とのいずれか一方は嵌合凸部を有し、
他方は前記嵌合凸部との嵌合凹部を有し、
前記嵌合凸部と前記嵌合凹部は、
前記第２表示部が前記第１位置に配置されている状態と、前記第２位置に配置されている状態のそれぞれの状態において、互いに嵌合する位置に形成されている表示玩具。
【請求項３】
請求項１記載の表示玩具であって、
前記第２表示部は、前記回転軸を中心軸とする円筒状の壁面、又は球状の壁面を有し、前記第２絵柄は、前記壁面に設けられており、
前記第１表示部は、前記第２表示部の前記壁面に沿う壁面を有し、前記第１絵柄は、前記壁面に設けられている表示玩具。
【請求項４】
請求項１記載の表示玩具であって、
前記第２表示部は、前記回転軸を中心軸とする円筒状の内壁面、又は球状の内壁面を有し、前記第２絵柄は、前記内壁面に設けられており、
前記第１表示部は、前記第２表示部の前記内壁面に沿う曲面状の外壁面を有し、前記第１絵柄は、前記外壁面に設けられている表示玩具。
【請求項５】
請求項１乃至４のうちいずれか１項に記載の表示玩具であって、
前記第２表示部より内側に第３絵柄を有する第３表示部を備え、  背後から照明されることによって前記第３絵柄が視認可能となる表示玩具。
【請求項６】
請求項５記載の表示玩具であって、
前記第３表示部の前記第３絵柄は前記第１表示部より内側に位置し、
前記第１表示部は光透過性であり、
前記第３絵柄は、前記第２表示部が前記第１位置に配置されている際の前記第１絵柄と前記第２絵柄との重ね合わせ方向に、前記第１絵柄と重なって配置されている表示玩具。
【手続補正２】
【補正対象書類名】明細書
【補正対象項目名】０００６
【補正方法】変更
【補正の内容】
【０００６】
本発明に係る表示玩具は、第１絵柄を有する第１表示部と、第２絵柄を有する光透過性の第２表示部と、前記第１表示部を位置固定に支持し、且つ前記第２表示部を前記第２絵柄が前記第１絵柄と重ね合される第１位置と、前記第２絵柄が前記第１絵柄に対して前記第１位置とは異なる位置関係に配置される第２位置との間で移動可能に支持する支持部と、を備え、前記第２表示部が前記第１位置に配置されている状態で、重ね合された前記第１絵柄及び前記第２絵柄によって第１図案が構成され、前記第２表示部が前記第２位置に配置されている状態で、前記第１絵柄及び前記第２絵柄によって前記第１図案とは異なる
第２図案が構成されることを特徴とする。また、本発明に係る表示玩具は、第１絵柄を有する第１表示部と、第２絵柄を有する光透過性の第２表示部と、  前記第１表示部を位置固定に支持し、且つ前記第２表示部を前記第２絵柄が前記第１絵柄と重ね合される第１位置と、前記第２絵柄が前記第１絵柄に対して前記第１位置とは異なる位置関係に配置される第２位置との間で移動可能に支持する支持部と、を備え、前記第２表示部が前記第１位置に配置されている状態で、重ね合された前記第１絵柄及び前記第２絵柄によって第１図案が構成され、前記第２表示部が前記第２位置に配置されている状態で、前記第１絵柄及び前記第２絵柄によって前記第１図案とは異なる第２図案が構成され、前記第２表示部は、前記第１表示部を収容し、当該第２表示部が前記第１位置に配置されている際の前記第１絵柄と前記第２絵柄との重ね合わせ方向と直交する回転軸まわりに前記第１位置と前記第２位置との間で回動可能であることを特徴とする。